(57)【要約】【課題】デスクトップパネルにおいて、その遮蔽板を容易に取り換えできるようにして、使用者の好みや雰囲気によって、色換えなどができるようにする。【解決手段】デスク１の天板２の前側に付設するデスクトップパネルにおいて、デスク１の天板２の前側に固定される枠体３と、該枠体３に昇降可能に備えるとともに、枠体３から抜き外し可能に備えた遮蔽板５からなる。【選択図】        図１
2005118258.tif 000002
【特許請求の範囲】
【請求項１】
デスクの天板の前側に付設するデスクトップパネルにおいて、デスクの天板の前側に付設される枠体と、該枠体に昇降可能に備えるとともに、枠体から抜き外し可能に備えた遮蔽板とからなることを特徴とするデスクトップパネル。
【請求項２】
前記枠体を、両側枠と該両側枠の下端間を連結する下枠とで形成し、前記両側枠に内側と上方が開口する案内室を形成し、遮蔽板を、その両側部を前記案内室に昇降可能に嵌合して備え、更に前記遮蔽板の昇降位置を保持する保持手段を設けた請求項１記載のデスクトップパネル。
【請求項３】
前記遮蔽板を１枚とした請求項１又は２記載のデスクトップパネル。
【請求項４】
前記の遮蔽板を前記枠体に複数枚備え、それぞれを独立的に昇降可能にかつ枠体から抜き外しできるように備えた請求項１又は２記載のデスクトップパネル。
【請求項５】
前記複数の遮蔽板を、それぞれ色や材質が異なるものにした請求項４記載のデスクトップパネル。
【発明の詳細な説明】
【技術分野】
【０００１】
本発明は、デスクトップパネルに関するもので、より詳しくは、デスクの天板の前側（着座する側と反対の側）に付設して天板の前側の上部を、前方から見えないように遮蔽するデスクトップパネルに関する。
【背景技術】
【０００２】
従来、デスクにおける天板の前側の上部にパネルなどの遮蔽板を設けて、デスクの前方から着座者の顔が見えないようにするデスクトップパネルが知られている。
このようなデスクトップパネルにおいてその遮蔽板を天板に付設する方法として、従来、遮蔽板を天板に取付金具により直接固定したり、遮蔽板を枠体に備えてこの枠体を天板に昇降可能に備えたものが知られているが、前者のものにおいては、遮蔽板を使用者の好みや雰囲気などにより簡単に取り替えることができず、また、後者のものにおいては、取り替える場合には枠体も天板より外さなければならない。
【発明の開示】
【発明が解決しようとする課題】
【０００３】
本発明が解決しようとする課題は、前記のようなデスクトップパネルにおいて、種類が異なる遮蔽板を複数枚用意し、使用者の好みや雰囲気によって、所望の種類の遮蔽板に容易に取り換えることができるデスクトップパネルを提供することを目的とするものである。
【課題を解決するための手段】
【０００４】
本発明は前記の課題を解決するために請求項１記載の発明は、デスクの天板の前側に付設するデスクトップパネルにおいて、デスクの天板の前側に付設される枠体と、該枠体に昇降可能に備えるとともに、枠体から抜き外し可能に備えた遮蔽板とからなることを特徴とするものである。
【０００５】
請求項２記載の発明は、請求項１記載の発明において、前記枠体を、両側枠と該両側枠の下端間を連結する下枠とで形成し、前記両側枠に内側と上方が開口する案内室を形成し、遮蔽板を、その両側部を前記案内室に昇降可能に嵌合して備え、更に前記遮蔽板の昇降位置を保持する保持手段を設けたものである。
【０００６】
請求項３記載の発明は、請求項１又は２記載の発明において、前記遮蔽板を１枚としたものである。
【０００７】
請求項４記載の発明は、請求項１又は２記載の発明において、前記の遮蔽板を前記枠体に複数枚備え、それぞれを独立的に昇降可能にかつ枠体から抜き外しできるように備えたものである。
【０００８】
請求項５記載の発明は、請求項４記載の発明において、前記複数の遮蔽板を、それぞれ色や材質が異なるものにしたものである。
【発明の効果】
【０００９】
本発明においては、遮蔽板を枠体に対して抜き外しできるように備えたので、遮蔽板が汚れたり破損した場合には、これを外して新しいものに交換することが容易に行えるとともに、色や材質などの種類の異なる複数の遮蔽板を用意して、これを使用者の好みや雰囲気によって所望に選定して色換えなどが容易に行える。
【発明を実施するための最良の形態】
【００１０】
本発明を実施するための最良の形態を図に示す実施例に基づいて説明する。
【実施例１】
【００１１】
図１乃至図９は第１実施例を示す。
図１は第１実施例の概念図で、デスク１の天板２の前側（着座側と反対の側）に枠体３を取付手段４により取り外し可能に付設し、１枚の遮蔽板５を前記枠体３の空間６内に、その上側から抜き差し可能に挿入でき、かつ、昇降できるようにしたものである。
【００１２】
前記遮蔽板５は１枚のみとし、これが汚れた場合に枠体３から取り外して洗浄し、再度枠体３内に挿入したり、新しい遮蔽板と交換できるようになっている。また、材質や色などの種類が異なる複数の遮蔽板を用意し、これらを好みや雰囲気によって取り換えて使用できるようになっている。
【００１３】
図２乃至図９により構造の詳細について説明する。
図２は遮蔽板５を枠体３内へ下降して、遮蔽板５を幕板にした状態を示し、図３は遮蔽板５を上昇してデスクトップとした使用状態を示す。
【００１４】
図４は前記のデスクトップパネルの斜視図で、枠体３は両側に位置して側枠７，８を有し、該両側枠７，８の下端は下枠９により連結されている。両側枠７，８の上端間は、相互には連結されていない。両側枠７，８は同一構造であるため一方の側枠７について図４，７，８により説明する。
【００１５】
側枠７の上下方向長は遮蔽板５を収納できる所定の長さに設定されている。また、該側枠７の横断面形状は図８に示すように、前後壁９，１０と、これを連結する連結壁１１とで形成されている。連結壁１１より内側には、連結壁１１と前後壁９，１０とで内側と上方が開口する案内室１２が形成され、連結壁１１より外側には連結壁１１と前後壁９，１０とで外側が開口した室１３が形成されている。
【００１６】
前記室１２内には、連結壁１１面に固着されたストッパ板１４が設けられている。該ストッパ板１４は側枠７，８の上下方向の略全長にわたる長さを有する。更に、該ストッパ板１４の内側面には、横方向の係止溝からなる係止部１４ａが形成されており、該係止部１４ａは、図６に示すように、上下方向に所望の間隔Ｄを有して複数形成されている。
【００１７】
前記両側枠７，８の後壁１０の上部には、両側枠７，８を天板２の前端縁に取り付けるための取付手段４が固設されている。該取付手段４は、両側枠７，８の後壁１０に固着した取付片４ａと、該取付片４ａの上下において突設した片４ｂ，４ｃと、下片４ｃに螺設した押えボルト４ｄと、該押えボルト４ｄを回転するハンドル４ｅとからなり、上片４ｂと押えボルト４ｄ間に天板２を介在し、押えボルト４ｄを締め付け回転し、上片４ｂと押えボルト４ｄで天板２を挟持して両側枠７，８を天板２に取り付けるようになっている。
【００１８】
両側枠７，８の上端には、前記の遮蔽板５の昇降を妨げないようにしてカバー１５が付設されている。
なお、前記両側枠７，８において前記と同一部分には前記と同一符号を付してその説明は省略する。
【００１９】
前記両側枠７，８間には遮蔽板５が昇降可能に備えられている。該遮蔽板５は両側縁枠５ａ，５ｂと、上縁枠５ｃと下縁枠５ｄと、これらの枠内に張設した布等の遮蔽部材５ｅとからなる。
【００２０】
該遮蔽板５の左右方向（両側縁枠５ａ，５ｂの配置方向）の長さは、前記両側枠７，８に設けたストッパ板１４相互間の長さよりわずかに短く設定され、また、遮蔽板５の厚み、詳しくは側縁枠５ａ，５ｂの厚みは、前記両側枠７，８の前後壁９，１０間よりわずかに短く設定され、遮蔽板５の左右端部が両側枠７，８の室１２内に遊嵌して遮蔽板５が両側枠７，８に案内されて昇降できるようになっている。
【００２１】
また、遮蔽板５の上下長は、その下側縁枠５ｄが下枠９内に嵌り、上側縁枠５ｃが両側枠７，８の略上端に位置する長さに設定されている。遮蔽板５の両側下部には、図５に示すように、側縁枠５ａ，５ｂの側面５ｆより突出した係止突部１６が突設されている。該係止突部１６の先端面側には保持手段１７が設けられている。該保持手段１７は、係止突部１６から出没する鋼球よりなるストッパ１７ａと、該ストッパ１７ａを突出方向へ付勢するコイルばねからなる付勢手段１７ｂとからなり、ストッパ１７ａの一部が突出するように常時付勢するとともにその突出位置を規制してストッパ１７ａが脱落しないようになっている。また、ストッパ１７ａは、前記両側枠７，８側に設けたストッパ板１４の係止部１４ａに嵌合係止するようになっている。
【００２２】
前記保持手段１７は、遮蔽板５側にナット１９を埋設し、該ナット１９に、内部に前記ストッパ１７ａと付勢手段１７ｂを内蔵した雄ねじ筒体１７ｃを螺合して構成されている。
【００２３】
前記カバー１５には図９に示すように、開閉するストッパ２０が設けられている。該カバー１５には前記の遮蔽板５の両側枠７，８が昇降可能に嵌合する挿通部２１が形成され、該挿通部２１の前後面に案内溝２２が左右方向に形成されている。また、ストッパ２０の前後面には前記案内溝２２に摺動可能に嵌合する案内突部２３が形成され、ストッパ２０が左右方向に移動するようになっている。そして、ストッパ２０を図９に示す実線の通常の位置におくことにより、前記遮蔽板５における両側縁枠５ａ，５ｂに突設した係止突部１６の上面がストッパ２０の下面に当接して遮蔽板５の上方への抜けが阻止され、また、ストッパ２０を図９の鎖線で示すように手で外側へ移動させることにより、前記の係止突部１６がストッパ２０に当接しないようにして遮蔽板５の上方への抜け外しができるようになっている。
【００２４】
次に本実施例のデスクトップパネルの使用について説明する。
先ず、図１乃至図４に示すように取付手段４をデスク１における天板２の前側端部に取り付けて、両側枠７，８を天板２の前側において垂設するように取り付ける。この取付状態において両側枠７，８の上端が天板２の上面より大きく突出しないように取付手段４の両側枠７，８への付設位置を設定するとよい。
【００２５】
この取付状態において、着座者の足部が前方から見えないようにする幕板は必要であるが、デスクトップは必要ではない場合には、図２に示すように遮蔽板５を、その上面が天板２の上面に近い位置まで下降させる。これにより、遮蔽板５が、着座者の足部を前方から見えないように遮蔽する幕板の機能を発揮する。
【００２６】
次に、遮蔽板５を着座者の顔が前方から見えないように遮蔽するデスクトップにする場合には、図３に示すように遮蔽板５を手動により上昇させる。この遮蔽板５を上昇する際には、その保持手段１７のストッパ１７ａが付勢手段１７ｂに抗して遮蔽板５側へ没入して、遮蔽板５の上昇は妨げられない。遮蔽板５を、ストッパ１７ａが、上部に位置する係止部１４ａの溝に嵌合する位置まで上昇させると、ストッパ１７ａが付勢手段１７ｂの付勢力によって係止部１４ａの溝に嵌入し、その付勢手段１７ｂの付勢力によって遮蔽板５の上昇位置が保持される。したがって、遮蔽板５を、係止部１４ａの形成間隔Ｄの範囲で段階的に上昇してその位置を保持することができる。
【００２７】
上記のように遮蔽板５を上昇させることによりデスクトップの機能を有する。
また、遮蔽板５の上昇状態からこれを図２に示すように下降させるには、手動で遮蔽板５を下方へ押して下降させる。
【００２８】
前記のように遮蔽板５を昇降して使用する場合には、開閉するストッパ２０を図９の実線のように位置させて閉じておくことにより、遮蔽板５を上昇させた際に遮蔽板５が不用意に抜け外れることが防止される。
【００２９】
次に、遮蔽板５を洗浄したり、破損した遮蔽板５を交換する場合には、先ずストッパ２０を図９の鎖線の位置に移動させて開いた後、設置されている遮蔽板５を上方へ移動させて両側枠７，８より抜き外す。そして、その抜き外した遮蔽板５を洗浄して再び両側枠７，８間に挿入したり、新規な遮蔽板５を両側枠７，８間に挿入し、ストッパ２０を閉じる。
【００３０】
また、色や材質などが異なる複数枚の遮蔽板を用意し、これらから使用者の好みや雰囲気により所望の遮蔽板を選定して前記のように交換する。
【実施例２】
【００３１】
図１０は前記ストッパ２０の他の例を示すもので、ストッパ２０Ａを支軸２４を中心として回転可能に設けて開閉できるようにしたものである。
本実施例２のその他の構造は前記実施例１と同様である。
【実施例３】
【００３２】
図１１乃至図１３は第３実施例を示す。
前記実施例１では、１枚の遮蔽板５を両側枠７，８間に備えたものであるが、本実施例３は、前記のような両側枠７，８間に２枚の遮蔽板５，５Ａを重ね合わせ的に配置するようにしたものである。
【００３３】
この実施例３における各遮蔽板５，５Ａは、ともに前記実施例１における遮蔽板５と同様の構造であり、また、両側枠７，８の前後壁９，１０の間隔は２枚の遮蔽板５，５Ａを昇降可能に収納できる長さに設定されている。また、両遮蔽板５，５Ａの間には仕切板１４ｂが設けられている。また、ストッパ２０は、２枚の遮蔽板５，５Ａに係合するようにその前後方向が前記実施例１よりも長く形成されている。
【００３４】
その他の構造は前記実施例１と同様であるため、同一部分には前記と同一の符号を付してその説明を省略する。
本実施例３においては、色や材質が異なる２枚の遮蔽板５，５Ａ、例えば布張パネルからなる遮蔽板５やメッシュ布からなる遮蔽板５Ａを両側枠７，８間に配置しておき、これら２枚の遮蔽板５，５Ａのうちの所望の１つを選定して上昇させて使用する。
【００３５】
また、本実施例３の各遮蔽板５，５Ａにおいても、ストッパ２０を閉じることにより、不用意な抜け外れが防止され、ストッパ２０を開くことにより各遮蔽板５，５Ａを抜き外すことができる。
なお、本実施例３は遮蔽板を２枚としたが、２枚以上を重ねて両側枠７，８間に配置してもよい。
【実施例４】
【００３６】
図１４及び図１５は第４実施例を示すもので、本実施例４は、前記図１乃至図９に示す実施例１において、その１枚の遮蔽板５の下縁枠５ｄ間に、上下方向に伸縮する伸縮部材３０を設けたものである。
【００３７】
この伸縮部材３０としては、例えば上下方向に伸縮する蛇腹状の幕で形成する。更に、該伸縮部材３０の上端は遮蔽板５の下縁枠５ｄにビス３１などにより取り外し可能に連結され、下端は下枠９にビス３２などにより取り外し可能に連結されている。
【００３８】
その他の構造は前記実施例１と同様であるため、前記と同一部分には前記と同一の符号を付してその説明を省略する。
【００３９】
本実施例４においては、遮蔽板５を下降することにより、その遮蔽板５が幕板となり、また、遮蔽板５を上昇することにより、これがデスクトップとなるとともに伸縮部材３０が幕板となる。
また、伸縮部材３０のビス３１と３２の少なくとも一方を外すことにより、前記実施例１と同様に遮蔽板５を抜き外すことができ、前記実施例１と同様の効果を発揮できる。
【実施例５】
【００４０】
図１６は第５実施例を示すもので、前記実施例１において、枠体３の前側にメッシュ布などの遮蔽幕４０を張設したものである。
その他の構造は前記実施例１と同様である。
本実施例５においては、前記実施例１と同様の作用、効果を発揮するとともに、遮蔽板５を上昇させた場合にも遮蔽幕４０により着座者の足を前方から見えないように遮蔽することができる。
【図面の簡単な説明】
【００４１】
【図１】本発明の第１実施例を示す概念図。
【図２】本発明の第１実施例を示す斜視図で、デスクトップパネルを天板に付設してその遮蔽板を下降した図。
【図３】図２の状態から遮蔽板を上昇させた図。
【図４】図２の実施例におけるデスクトップパネルの斜視図。
【図５】図４における遮蔽板の一部の斜視図。
【図６】図５のストッパ板の側面図。
【図７】保持手段を示す一部正断面図。
【図８】図７におけるＡ−Ａ線断面図。
【図９】ストッパ部を示す斜視図。
【図１０】本発明の開閉するストッパの第２実施例を示す斜視図。
【図１１】本発明の第３実施例を示す概念図。
【図１２】図１１の第３実施例におけるデスクトップパネルの斜視図。
【図１３】図１２における側枠部の平断面図。
【図１４】本発明の第４実施例を示すデスクトップパネルの斜視図。
【図１５】図１４におけるＢ−Ｂ線断面図。
【図１６】本発明の第５実施例を示す側断面図。
【符号の説明】
【００４２】
１    デスク
２    天板
３    枠体
５，５Ａ    遮蔽板
７，８    両側枠
９    下枠
１０    案内室
１７    保持手段
【図１】
2005118258.tif 000003
【図２】
2005118258.tif 000004
【図３】
2005118258.tif 000005
【図４】
2005118258.tif 000006
【図５】
2005118258.tif 000007
【図６】
2005118258.tif 000008
【図７】
2005118258.tif 000009
【図８】
2005118258.tif 000010
【図９】
2005118258.tif 000011
【図１０】
2005118258.tif 000012
【図１１】
2005118258.tif 000013
【図１２】
2005118258.tif 000014
【図１３】
2005118258.tif 000015
【図１４】
2005118258.tif 000016
【図１５】
2005118258.tif 000017
【図１６】
2005118258.tif 000018